(57)【要約】【課題】本発明は、ＰＬＤと別に設けたゲート回路を用いて１対の起動信号を得てリレーをオンすることにより、ＰＬＤによる不期着火を防止することを目的とする。【解決手段】本発明によるＰＬＤを用いた点火制御方法及び装置は、ＰＬＤ（１）に入力される点火用トリガ信号（３）をゲート回路（４）に入力し、１対の起動信号（５，７）を用いて各フォトカプラ（６，８）をオンとしてリレー（２１）をオンとする構成である。【選択図】        図１
2004245050.tif 000002
【特許請求の範囲】
【請求項１】
点火回路用電源（２０）が接続されたリレー（２１）をＰＬＤ（１）から出力された起動信号（７）を用いて作動させ、点火信号（３０）を外部に出力するようにしたＰＬＤを用いた点火制御方法において、
前記ＰＬＤ（１）に入力される点火用トリガ信号（３）を同時に入力するゲート回路（４）と、前記ゲート回路（４）と前記点火回路用電源（２０）との間に設けた第１フォトカプラ（６）と、前記ＰＬＤ（１）と前記リレー（２１）との間に設けた第２フォトカプラ（８）とを用い、前記点火用トリガ信号（３）により前記第１、第２フォトカプラ（６，８）がオン時のみに前記リレー（２１）をオンとして前記点火信号（３０）が出力されることを特徴とするＰＬＤを用いた点火制御方法。
【請求項２】
点火回路用電源（２０）が接続されたリレー（２１）をＰＬＤ（１）から出力された起動信号（７）を用いて作動させ、前記リレー（２１）から点火信号（３０）を出力するようにしたＰＬＤを用いた点火制御装置において、
前記ＰＬＤ（１）に入力される点火用トリガ信号（３）が入力されるゲート回路（４）と、前記ゲート回路（４）と前記点火回路用電源（２０）との間に接続された第１フォトカプラ（６）と、前記ＰＬＤ（１）と前記リレー（２１）との間に設けた第２フォトカプラ（８）とを備え、前記第１、第２フォトカプラ（６，８）がオン時のみに前記リレー（２１）をオンとして前記点火信号（３０）が出力される構成としたことを特徴とするＰＬＤを用いた点火制御装置。
【発明の詳細な説明】
【０００１】
【発明の属する技術分野】
本発明は、ＰＬＤを用いた点火制御方法及び装置に関し、特に、ＰＬＤとは別にゲート回路を設け、ＰＬＤとゲート回路から出力された起動信号によって１対のフォトカプラをオンとして点火信号を発生させることにより、ＰＬＤのみの誤動作による点火信号の誤発生を防止するための新規な改良に関する。
【０００２】
【従来の技術】
従来、用いられていたこの種のＰＬＤを用いた点火制御装置としては、社内で製作（従って、その構成を示すための文献等は開示されていない）されていた構成のみであり、図示していないが、周知のＰＬＤ（プログラマブルロジックデバイス）によって出力される起動信号によってリレーがオンとなり、このリレーのオンによって点火信号が出力される構成である。
【０００３】
【発明が解決しようとする課題】
従来のＰＬＤを用いた点火制御装置は、以上のように構成されていたため、次のような課題が存在していた。
すなわち、ＰＬＤは、内部のロジック回路をソフトウェアによって自在に設計可能であるため、ＰＬＤ自体のみで点火回路の制御回路を構成することができるが、この場合には、ＰＬＤ自体の単一故障又は誤動作によって予定外の不期着火が発生することがあり、例えば、火工品を取扱う場合の事故となる可能性があった。
【０００４】
本発明は、以上のような課題を解決するためになされたもので、特に、ＰＬＤとは別にゲート回路を設け、ＰＬＤとゲート回路から出力された起動信号によって１対のフォトカプラをオンとして点火信号を発生させることにより、ＰＬＤのみの誤動作による点火信号の誤発生を防止するようにした点火制御方法及び装置を提供することを目的とする。
【０００５】
【課題を解決するための手段】
本発明によるＰＬＤを用いた点火制御方法は、点火回路用電源が接続されたリレーをＰＬＤから出力された起動信号を用いて作動させ、点火信号を外部に出力するようにしたＰＬＤを用いた点火制御方法において、前記ＰＬＤに入力される点火用トリガ信号を同時に入力するゲート回路と、前記ゲート回路と前記点火回路用電源との間に設けた第１フォトカプラと、前記ＰＬＤと前記リレーとの間に設けた第２フォトカプラとを用い、前記点火用トリガ信号により前記第１、第２フォトカプラがオン時のみに前記リレーをオンとして前記点火信号が出力される方法であり、また、本発明によるＰＬＤを用いた点火制御装置は、点火回路用電源が接続されたリレーをＰＬＤから出力された起動信号を用いて作動させ、前記リレーから点火信号を出力するようにしたＰＬＤを用いた点火制御装置において、前記ＰＬＤに入力される点火用トリガ信号が入力されるゲート回路と、前記ゲート回路と前記点火回路用電源との間に接続された第１フォトカプラと、前記ＰＬＤと前記リレーとの間に設けた第２フォトカプラとを備え、前記第１、第２フォトカプラがオン時のみに前記リレーをオンとして前記点火信号が出力される構成である。
【０００６】
【発明の実施の形態】
以下、図面と共に本発明によるＰＬＤを用いた点火制御装置の好適な実施の形態について説明する。
図１において符号１で示されるものは、点火制御回路系２のＰＬＤであり、このＰＬＤ１には点火用トリガ信号３が入力され、この点火用トリガ信号３はこのＰＬＤ１とは別に独立して設けられたゲート回路４にも同時に入力されている。
【０００７】
前記点火用トリガ信号３の入力により前記ゲート回路４からは第１起動信号５がグランドＧに設地済みの第１フォトカプラ６に入力され、ＰＬＤ１からの第２起動信号７はグランドＧに設地済みの第２フォトカプラ８に入力されている。
前記第１、第２フォトカプラ６、８は、前記点火制御回路系２に隣接する点火回路系１０に跨って設けられ、周知のように、ＬＥＤ１１とフォトトランジスタ１２によって構成されている。
【０００８】
前記第１フォトカプラ６は、点火回路用電源２０を介してリレー２１に接続され、このリレー２１は第２フォトカプラ８に接続されている。
前記各フォトカプラ６、８がオンとなることにより、リレー２１のコイルに電流が供給され、リレー２１がオンとなることによってこのリレー２１から点火信号３０が外部である点火ライン３１へ出力されるように構成されている。
従って、前記各フォトカプラ６、８がオンとならなければ、リレー２１がオンとなることはないように構成されている。
【０００９】
次に、動作について述べる。まず、点火用トリガ信号３がＰＬＤ１及びゲート回路４へ入力されると、各起動信号５、７によって各フォトカプラ６、８がオンとなり、リレー駆動電流がリレー２１に流れる。
この点火回路用電源２０のリレー２１への通電により、点火信号３０が点火ライン３１に対して供給される。
【００１０】
【発明の効果】
本発明によるＰＬＤを用いた点火制御方法及び装置は、以上のように構成されているため、次のような効果を得ることができる。
すなわち、ＰＬＤと別に設けたゲート回路に点火用トリガ信号を入力し、ゲート回路及びＰＬＤからの第１、第２起動信号が各フォトカプラに入力されて初めてリレーに電源が供給されるようにしているため、ＰＬＤ単独の故障等によるリレーの駆動を防止することができ、不期着火等を完全に防止できる。
【図面の簡単な説明】
【図１】本発明によるＰＬＤを用いた点火制御方法及び装置を示す回路図である。
【符号の説明】
１    ＰＬＤ
３    点火用トリガ信号
４    ゲート回路
５    第１起動信号
６    第１フォトカプラ
７    第２起動信号
８    第２フォトカプラ
２０    点火回路用電源
３０    点火信号
【図１】
2004245050.tif 000003